(57)【要約】【課題】  本発明はイカ角用連結具に関し、胴部に貫通孔を設けて釣糸取付部としたイカ角に釣糸を簡単に取り付けることのできるイカ角用連結具を提供することを目的とする。【解決手段】  請求項１に係る発明は、イカ角の胴部に設けた貫通孔に釣糸を取り付けるイカ角用連結具であって、１本の金属線材を屈曲して形成した一対のアーム部の先端側を更に内方へ屈曲して、前記貫通孔に挿入させる一対の支持片を並列して設けると共に、両支持片の先端を、夫々、前記アーム部よりも外方へ突出させたことを特徴とする。  そして、請求項２に係る発明は、請求項１に記載のイカ角用連結具に於て、一対の前記支持片の間に間隙が設けられていることを特徴とし、請求項３に係る発明は、請求項１または請求項２に記載のイカ角用連結具に於て、一対の前記支持片は直線状に形成されていることを特徴とする。【選択図】    図２
2008173082.tif 000002
【特許請求の範囲】
【請求項１】
イカ角の胴部に設けた貫通孔に釣糸を取り付けるイカ角用連結具であって、
１本の金属線材を屈曲して形成した一対のアーム部の先端側を更に内方へ屈曲して、前記貫通孔に挿入させる一対の支持片を並列して設けると共に、
両支持片の先端を、夫々、前記アーム部よりも外方へ突出させたことを特徴とするイカ角用連結具。
【請求項２】
一対の前記支持片の間に、間隙が設けられていることを特徴とする請求項１に記載のイカ角用連結具。
【請求項３】
一対の前記支持片は、直線状に形成されていることを特徴とする請求項１または請求項２に記載のイカ角用連結具。
【請求項４】
前記支持片の先端は、アーム部の先端側を内方に屈曲して該支持片を形成した屈曲部の近傍に配されていることを特徴とする請求項１乃至請求項３のいずれか１項に記載のイカ角用連結具。
【発明の詳細な説明】
【技術分野】
【０００１】
本発明は、イカ角を釣糸に連結する際に使用するイカ角用連結具に関する。
【背景技術】
【０００２】
特許文献１に開示されるように、従来からイカ釣りにはイカ角が使用されている。
イカ角は、合成樹脂で形成された紡錘形状の胴部の一端側に釣糸取付部を有し、他端側に針が放射状に配された傘形のイカ釣針が取り付けられている。
そして、前記イカ角を用いてイカ釣りの仕掛けを作るときは、幹糸に複数本のハリスを間隔を空けて取り付けて夫々のハリスの先端にイカ角を連結するか、または複数のイカ角を直接幹糸の長手方向に連結しており、イカ角には、胴部に取り付けたリングを釣糸取付部としたものと、特許文献１に開示されるように胴部に貫通孔を直接設けて、これを釣糸取付部としたものが知られている。
【０００３】
而して、釣糸取付部がリングで形成されたイカ角は、直接リングにハリスや幹糸を結んだり、様々な釣りの仕掛けに使用されているスナップ等の連結具を用いて簡単にハリス等に取り付けることができる。
【特許文献１】実開昭５４−８０９８５号公報
【発明の開示】
【発明が解決しようとする課題】
【０００４】
しかし、胴部に設けた貫通孔を釣糸取付部としたイカ角は胴部に厚みがあるため、スナップ等の連結具を用いてハリス等に取り付けることができず、貫通孔に挿通させたハリスや幹糸を締結して取り付けているのが実情で、イカ釣りの仕掛け作りやイカ角の交換の際に時間が掛かってしまう不具合があった。
本発明は斯かる実情に鑑み案出されたもので、胴部に直接貫通孔を設けて釣糸取付部としたイカ角に釣糸を簡単に取り付けることのできるイカ角用連結具を提供することを目的とする。
【課題を解決するための手段】
【０００５】
斯かる目的を達成するため、請求項１に係る発明は、イカ角の胴部に設けた貫通孔に釣糸を取り付けるイカ角用連結具であって、１本の金属線材を屈曲して形成した一対のアーム部の先端側を更に内方へ屈曲して、前記貫通孔に挿入させる一対の支持片を並列して設けると共に、両支持片の先端を、夫々、前記アーム部よりも外方へ突出させたことを特徴とする。
【０００６】
そして、請求項２に係る発明は、請求項１に記載のイカ角用連結具に於て、一対の前記支持片の間に間隙が設けられていることを特徴とし、請求項３に係る発明は、請求項１または請求項２に記載のイカ角用連結具に於て、一対の前記支持片は直線状に形成されていることを特徴とする。
更に、請求項４に係る発明は、請求項１乃至請求項３のいずれか１項に記載のイカ角用連結具に於て、前記支持片の先端は、アーム部の先端側を内方に屈曲して該支持片を形成した屈曲部の近傍に配されていることを特徴としている。
【発明の効果】
【０００７】
各請求項に係る発明によれば、釣糸にイカ角を簡単且つ速やかに取り付けることができ、従来のように貫通孔に釣糸を挿通させて締結する必要がないため、簡単にイカ釣り用仕掛けを作ったりイカ角を交換することができる。
そして、支持片の先端部が貫通孔からイカ角の外方に突出するため、実釣時にイカが掛かっても、その荷重で支持片が貫通孔から抜けてイカ角用連結具が外れてしまうことがない。
【０００８】
また、請求項３に係る発明によれば、支持片が直線状に形成されているため、実釣時に支持片が貫通孔の内周に当接してイカ角を安定して支持することができる。
【発明を実施するための最良の形態】
【０００９】
以下、本発明の実施形態を図面に基づいて詳細に説明する。
図１は請求項１乃至請求項４の一実施形態に係るイカ角用連結具を用いたイカ釣り用仕掛けを示し、ビーズ玉１を用いて幹糸３に接続した複数本のハリス（枝素）５の先端に、夫々、イカ角用連結具７を介してイカ角９が連結され、幹糸３の先端に重り１１が取り付いてイカ釣り用仕掛け１３が形成されている。
【００１０】
図２に示すようにイカ角９は、従来と同様、硬質合成樹脂材料で形成された紡錘形状の胴部１５の一端側（上端側）に真っ直ぐな貫通孔（連結具取付孔）１７が形成され、他端側に針が放射状に配された傘形のイカ釣針１９が取り付けられた構造となっている。
そして、前記貫通孔１７へのイカ角用連結具７の取付けを容易にするため、図２及び図６に示すように胴部１５の一端側外周に円弧状の凹部２１が周方向に設けられており、該凹部２１内に貫通孔１７が開口している。
【００１１】
図２乃至図５に示すようにイカ角用連結具７は、鉄，ステンレス，チタン合金，ニッケルチタン合金等で形成された０．１〜３．０ｍｍの径を有する１本の金属線材Ｍで形成されており、先ず、金属線材Ｍの中央を円形状に巻回，交差させて、ハリス５を締結させるリング状の釣糸締結部２３が設けられている。
そして、イカ角用連結具７は、斯様に釣糸締結部２３が形成された金属線材Ｍの両端側が互いに広がるようにこれらを下方へ拡開させて左右一対のアーム部２５，２７が形成され、更に、両アーム部２５，２７の先端側を、夫々、内方へ鋭角的に屈曲させて一対の並列する支持片２９，３１が形成されており、図４及び図５に示すように両支持片２９，３１は、金属線材Ｍの径と同じかこれより広い間隙Ｌを空けて略水平に直線状に形成されている。そして、図２乃至図４に示すように支持片２９，３１の先端部（突出部）３３，３５は、対向側のアーム部２７，２５の角部（アーム部２７，２５の先端側を内方に屈曲して前記支持片３１，２９を形成した屈曲部）３７，３９近傍の同じ高さ位置から左右の外方に突出した構造となっている。
【００１２】
本実施形態に係るイカ角用連結具７はこのように構成されており、該イカ角用連結具７を用いてハリス５にイカ角９に取り付けるには、先ず、図６及び図７に示すようにアーム部２７の先端側に設けた支持片３１の先端部３５を貫通孔１７内に挿入する。
尚、先端部３５に代えて支持片２９側の先端部３３を最初に貫通孔１７に挿入してもよいが、本実施形態では、先ず、支持片３１を貫通孔１７内に挿入した場合を説明する。
【００１３】
また、イカ角９の交換の際には、通常、図６の如くイカ角用連結具７の釣糸締結部２３にハリス５が既に締結されているが、前記イカ釣り用仕掛け１３を作る際に、予めハリス５を釣糸締結部２３に締結させておく必要はない。
而して、斯様に支持片３１を貫通孔１７内に差し込むと、支持片３１の先端部３５の近傍に対向側のアーム部２５の角部３９が配置されているため、この角部３９がイカ角９の外周面に当接する。そして、先端部３５が対向側のアーム部２５の角部３９よりも外方へ突出し、而も、支持片３１が直線状に形成されているため、先端部３５（支持片３１）を貫通孔１７に容易に挿通させることができ、また、角部３９は金属線材Ｍを屈曲して形成され、而も、支持片２９が直線状に形成されているため、イカ角９の外周面に沿ってイカ角用連結具７をスムーズに移動させることができる。
【００１４】
そして、支持片３１を更に差し込むと、図７の如く貫通孔１７回りの壁（胴部１５）が支持片２９，３１間の間隙内に差し込まれ、金属線材Ｍの可撓性または柔軟性によってアーム部２５，２７と支持片２９，３１が撓みまたは変形し乍ら支持片２９，３１間の間隙が広がるが、角部３９が凹部２１内に当接するようにイカ角用連結具９を斜めに傾けて支持片３１を貫通孔１７内に差し込むと、支持片２９，３１間の間隙内に差し込まれる貫通孔１７回りの壁の厚みが他の部位に比し小さいため、支持片２９，３１間の間隙を大きく広げる必要がなく作業が楽である。
【００１５】
そして、図８に示すように支持片３１を貫通孔１７内に挿入し終えた後、図９及び図１０に示すように貫通孔１７の反対側から他方の支持片２９の先端部３３を差し込んで支持片２９を貫通孔１７に挿通すれば、一対の支持片２９，３１の両方が貫通孔１７内に差し込まれてイカ角用連結具７がイカ角９に取り付き、イカ角９が該イカ角用連結具７を介してハリス５に取り付くこととなる。そして、支持片２９，３１は略水平に直線状に形成されているため、イカ角用連結具７にイカ角９の重量が掛かると、支持片２９，３１が貫通孔１７の上部内周に当接して、図１の如くイカ角用連結具７はイカ角９を幹糸３に沿って真っ直ぐに支持する。
【００１６】
尚、貫通孔１７の反対側から他方の支持片２９の先端部３３を差し込む際に、図９の如く先端部３３が貫通孔１７の内周に当接してしまうような場合には、アーム部２５や支持片２９を撓ませればよい。
そして、イカ角９に取り付けたイカ角用連結具７は、金属線材Ｍの材質によって自然に元の形状に戻るように構成されているが、手で変形を直すように構成してもよく、また、イカ角９の形状や貫通孔１７の大きさに合わせてイカ角用連結具７を変形させて、イカ角９が安定して取り付くようにアーム部２５，２７や支持片２９，３１を調整できるようにしてもよい。
【００１７】
このようにイカ角用連結具７の取付けが終わると、図２に示すように支持片２９，３１の先端部３３，３５が貫通孔１７からイカ角９の外方に突出するため、実釣時にイカが掛かっても、その荷重で支持片２９，３１が貫通孔１７から抜けてイカ角用連結具７が外れてしまうことがない。
このように、本実施形態に係るイカ角用連結具７を使用すれば、ハリス５にイカ角９を簡単且つ速やかに取り付けることができ、従来のように貫通孔１７にハリス５を挿通させて締結する必要がないため、簡単にイカ釣り用仕掛け１３を作ったりイカ角９を交換することができることとなった。
【００１８】
そして、支持片２９，３１は略水平に直線状に形成されているため、実釣時に支持片２９，３１が貫通孔１７の内周に当接してイカ角９を安定して支持することができる。
また、既述したようにイカ角９に取り付けられたイカ角用連結具７は、支持片２９，３１の先端部３３，３５が貫通孔１７からイカ角９の外方に突出するため、実釣時にイカが掛かっても、その荷重で支持片２９，３１が貫通孔１７から抜けてイカ角用連結具７が外れてしまうこともない。
【００１９】
尚、前記イカ角用連結具７は、１本の金属線材Ｍの中央を円形状に巻回，交差させてリング状の釣糸締結部２３を設けたが、図１１に示す請求項１乃至請求項４の第二実施形態に係るイカ角用連結具７-1の如く、金属線材Ｍの中央をＵ字状に折り返して釣糸締結部２３-1を形成してもよく、一対のアーム部２５，２７の上部に夫々くびれ部４１，４３を設けることで、両アーム部２５，２７の強化が図れる。
【００２０】
而して、本実施形態に係るイカ角用連結具７-1によっても、前記イカ角用連結具７と同様、所期の目的を達成することが可能で、簡単にイカ釣り用仕掛け１３を作ったりイカ角９を交換することができる。
尚、既述した各実施形態は、アーム部２５，２７を互いに下方に向けて広がるように形成したが、略垂直にアーム部２５，２７を形成してもよい。
【００２１】
また、ハリス５にイカ角９を取り付ける場合について説明したが、前記イカ角用連結具７，７-1は、複数のイカ角９を幹糸の長手方向に連結する場合にも使用することができる。
更に、図２の実施形態ではイカ角９の胴部１５の一端側外周に円弧状の凹部２１を周方向に設けたが、該凹部２１はなくてもよい。
【図面の簡単な説明】
【００２２】
【図１】請求項１乃至請求項４の第一実施形態に係るイカ角用連結具を用いたイカ釣り用仕掛けの正面図である。
【図２】イカ角用連結具が取り付くイカ角の断面図である。
【図３】図２のIII−III線断面図である。
【図４】イカ角用連結具の正面図である。
【図５】イカ角用連結具の側面図である。
【図６】イカ角にイカ角用連結具を取り付ける手順を示す説明図である。
【図７】イカ角にイカ角用連結具を取り付ける手順を示す説明図である。
【図８】イカ角にイカ角用連結具を取り付ける手順を示す説明図である。
【図９】イカ角にイカ角用連結具を取り付ける手順を示す説明図である。
【図１０】イカ角にイカ角用連結具を取り付ける手順を示す説明図である。
【図１１】請求項１乃至請求項４の第二実施形態に係るイカ角用連結具の正面図である。
【符号の説明】
【００２３】
３  幹糸
５  ハリス
７  イカ角用連結具
９  イカ角
１１  重り
１３  イカ釣り用仕掛け
１５  胴部
１７  貫通孔（連結具取付孔）
１９  イカ釣針
２１  凹部
２３  釣糸締結部
２５，２７  アーム部
２９，３１  支持片
３３，３５  先端部
３７，３９  角部
４１，４３  くびれ部
【図１】
2008173082.tif 000003
【図２】
2008173082.tif 000004
【図３】
2008173082.tif 000005
【図４】
2008173082.tif 000006
【図５】
2008173082.tif 000007
【図６】
2008173082.tif 000008
【図７】
2008173082.tif 000009
【図８】
2008173082.tif 000010
【図９】
2008173082.tif 000011
【図１０】
2008173082.tif 000012
【図１１】
2008173082.tif 000013